(57)【要約】      （修正有）【課題】防犯効果は絶大なシリンダー錠の保護構造を提供する。【解決手段】基端部５ａが錠箱に取り付けられ、一方、他端部５ｂが扉１の外壁面１ａの取り付け孔６から突出するシリンダー錠５と、このシリンダー錠に外嵌合する固定筒７と、この固定筒と筒状化粧リング１０との間に介在する防犯用外筒体９とから成るシリンダー錠の保護構造に於いて、前記防犯用外筒体は、内端部９ａが前記取り付け孔に嵌入し、少なくとも該内端部寄りの部位から先端部にかけて外周壁１１が傾斜面のすい台状に形成されていることを特徴とする。【選択図】図１
2005009293.tif 000002
【特許請求の範囲】
【請求項１】
基端部が錠箱に取り付けられ、一方、他端部が扉の外壁面の取り付け孔から突出するシリンダー錠と、このシリンダー錠に外嵌合する固定筒と、この固定筒と筒状化粧リングとの間に介在する防犯用外筒体とから成るシリンダー錠の保護構造に於いて、前記防犯用外筒体は、内端部が前記取り付け孔に嵌入し、少なくとも該内端部から先端部にかけて外周壁が傾斜面のすい台状に形成されていることを特徴とするシリンダー錠の保護構造。
【請求項２】
請求項１に於いて、防犯用外筒体９の扉の取り付け孔に嵌入した内端部の根元部分の外周面１１ａは、内端面に至るにしたがって弧状に形成されていることを特徴とするシリンダー錠の保護構造。
【請求項３】
請求項１に於いて、防犯用外筒体９は、固定筒７に対して回動自在に外嵌合していることを特徴とするシリンダー錠の保護構造。
【請求項４】
基端部が錠箱に取り付けられ、一方、他端部が扉の外壁面の取り付け孔から突出するシリンダー錠と、このシリンダー錠に外嵌合する固定筒と、この固定筒と筒状化粧リングとの間に介在する防犯用外筒体とから成るシリンダー錠の保護構造に於いて、前記防犯用外筒体は、根元部分に相当する内端部が前記取り付け孔に嵌入し、該内端部の内端面から先端部の先端面にかけて外周壁が弧状面を有するやや球台状に形成されていることを特徴とするシリンダー錠の保護構造。
【請求項５】
取り付け基端部５ａが錠箱２に取り付けられ、一方、他端部５ｂが扉１の外壁面１ａの取り付け孔６から突出するシリンダー錠５と、このシリンダー錠５に固定的に外嵌合するシリンダー錠保護筒７Ａとから成るシリンダー錠の保護構造であり、前記シリンダー錠保護筒７Ａは、前記取り付け基端部５ａ寄りの内端部７ａが前記取り付け孔６に嵌入し、該内端部７ａから先端部７ｂにかけて外周壁１１が傾斜面のすい台状に形成されていることを特徴とするシリンダー錠の保護構造。
【請求項６】
基端部が錠箱に取り付けられ、一方、他端部が扉の外壁面の取り付け孔から突出するシリンダー錠と、このシリンダー錠に外嵌合する固定筒と、この固定筒と筒状化粧リングとの間に介在する防犯用外筒体とから成るシリンダー錠の保護構造に於いて、前記防犯用外筒体は、内端部が前記取り付け孔に嵌入し、少なくとも該内端部寄りの部位から先端部にかけて外周壁が傾斜面のすい台状に形成されており、また前記内端部の外周壁には突起部が設けられていることを特徴とするシリンダー錠の保護構造。
【請求項７】
請求項６に於いて、内端部の外周壁の突起は、鍔状に周設されていることを特徴とするシリンダー錠の保護構造。
【請求項８】
取り付け基端部５ａが錠箱２に取り付けられ、一方、他端部５ｂが扉１の外壁面１ａの取り付け孔６から突出するシリンダー錠５と、このシリンダー錠５に固定的に外嵌合するシリンダー錠保護筒７Ａとから成るシリンダー錠の保護構造であり、前記シリンダー錠保護筒７Ａは、少なくとも前記取り付け基端部５ａ寄りの内端部７ａが前記取り付け孔６に嵌入し、少なくとも該内端部７ａ寄りの部位から先端部７ｂにかけて外周壁１１が傾斜面のすい台状に形成されており、また前記内端部の外周壁には突起部が設けられていることを特徴とするシリンダー錠の保護構造。
【請求項９】
基端部が錠箱に取り付けられ、一方、他端部が扉の外壁面の取り付け孔から突出するシリンダー錠と、このシリンダー錠に外嵌合する固定筒と、この固定筒と筒状化粧リングとの間に介在する防犯用外筒体とから成るシリンダー錠の保護構造に於いて、前記防犯用外筒体は、内端部が前記取り付け孔に嵌入し、少なくとも内端部寄りの部位から先端部にかけて外周壁が傾斜面のすい台状に形成されていることを特徴とするシリンダー錠の保護構造。
【発明の詳細な説明】
【技術分野】
【０００１】
本発明は、本発明は、扉面から突出したシリンダー錠の保護構造に関する。
【背景技術】
【０００２】
普通一般にシリンダー錠は、化粧リング並びにシリンダー筒（固定筒）に内装され、扉の外壁面から他端部（突出端部）が突出するように錠箱に取り付けられている。
【０００３】
前記化粧リングは、板金加工により製作した薄板素材のすい台状の筒体で、かつ、中空部を有していることから、泥棒にとっては七つ道具の挟み部を有するプライヤー、バール、ドリルなどの工具を用いて化粧リングを変形させることが容易である。
【０００４】
したがって、例えば、泥棒が挟み部を有するプライヤーを用い、化粧リングとともに、固定筒及びシリンダー錠を無理やり「破壊」あるいは「もぎ取る」ことが可能になる。
そこで、出願人は、化粧リングをこじあけ、外周壁が露出したシリンダー錠に大きな外力を加えることによってシリンダー錠がもぎ取られないように、化粧リング並びに固定筒を改良した錠構造を提案した（特許文献１）。
【０００５】
この公報に記載の実施例は、「固定筒４３の内周に係着し、扉内に設けた錠箱に、扉面に穿設した錠挿入穴を介して該固定筒４３の基端を固定し、前記扉面から突出した前記固定筒４３の先端側外周に、先端側を開口した略円錐状の化粧リング６７を、先端部が前記固定筒４３の先端側となるように外挿し、かつ、前記固定筒４３に外挿した付勢手段７３の付勢力によって該化粧リング６７の後端部を前記扉面に当接させた錠構造において、前記固定筒４３を、前記シリンダー錠３１を係着する内固定筒４５と、該内固定筒４５の外周に回動自在に係着する外固定筒４７との二重構造で構成し、前記シリンダー錠３１を、前記内固定筒４５を介して前記錠箱に固定するとともに、前記化粧リング６７を該外固定筒４７の外周に係着している（公報の符号をそのまま記載）。」
【特許文献１】特開２００３−１２００８３公報
【発明の開示】
【発明が解決しようとする課題】
【０００６】
先に提案した錠構造は、基本的には、「基端部が錠箱に取り付けられ、一方、他端部が扉の外壁面の取り付け孔から突出するシリンダー錠と、このシリンダー錠に外嵌合する固定筒と、この固定筒と筒状化粧リングとの間に介在する防犯用外筒体とから成るシリンダー錠の保護構造」であるが、このシリンダー錠の保護構造の防犯用外筒体は、内端部の端面から先端部の端面にかけて外周壁が水平線の筒状体（いわば中空パイプ）に形成されているので、泥棒が、七つ道具の一つ、特に挟み部を有するプライヤー（挟み具の類で、ここでは「工具」という。）を用い、前記直線状の外周壁を上手に捉え、シリンダー錠をもぎ取る可能性が依然に残っている。
【０００７】
そこで、本発明は、泥棒がシリンダー錠を「より一層もぎ取ることができない或いは困難な」シリンダー錠の保護構造を提案することを発明の目的としている。
【課題を解決するための手段】
【０００８】
本発明のシリンダー錠の保護構造は、基端部が錠箱に取り付けられ、一方、他端部が扉の外壁面の取り付け孔から突出するシリンダー錠と、このシリンダー錠に外嵌合する固定筒と、この固定筒と筒状化粧リングとの間に介在する防犯用外筒体とから成るシリンダー錠の保護構造に於いて、前記防犯用外筒体は、内端部が前記取り付け孔に嵌入し、少なくとも該内端部寄りの部位から先端部にかけて外周壁が傾斜面のすい台状に形成されていることを特徴とする。
【０００９】
上記構成に於いて、防犯用外筒体９の扉の取り付け孔に嵌入した内端部の根元部分の外周面１１ａは、内端面に至るにしたがって弧状に形成されていることを特徴とする。また、前記防犯用外筒体は、根元部分に相当する内端部の端面から先端部の端面にかけて外周壁が弧状面を有するやや球台状に形成されている。
【００１０】
また、本発明のシリンダー錠の保護構造は、取り付け基端部５ａが錠箱２に取り付けられ、一方、他端部５ｂが扉１の外壁面１ａの取り付け孔６から突出するシリンダー錠５と、このシリンダー錠５に固定的に外嵌合するシリンダー錠保護筒７Ａとから成り、前記シリンダー錠保護筒７Ａは、前記取り付け基端部５ａ寄りの内端部７ａが前記取り付け孔６に嵌入し、少なくとも該内端部７ａ寄りの部位から先端部７ｂにかけて外周壁１１が傾斜面のすい台状に形成されていることを特徴とする。
【００１１】
さらに、上記構成要件をそのまま含み、前記内端部の外周壁には突起部が設けられていることを特徴とする。
【発明の効果】
【００１２】
本発明にあっては、防犯用外筒体９またはシリンダー錠保護筒７Ａは、根元部分に相当する内端部９ａ．７ａが前記取り付け孔６に嵌入し、少なくとも該内端部９ａ．７ａ寄りの部位から先端部９ｂ．７ｂにかけて外周壁１１が傾斜面のすい台状に形成されているので、または防犯用外筒体９Ａは、根元部分に相当する内端部９ａの端面から先端部９ｂの端面にかけて外周壁１１Ａが弧状面を有するやや球台状に形成されているので、図４で示すように、泥棒が工具Ｔの先端部を利用して化粧リング１０を除けながら、あるいは破壊して防犯用外筒体９またはシリンダー錠保護筒７Ａの外周壁１１を捉えようとしても、工具Ｔの挟み部ａは、図４で示すように前記外周壁１１を完全に捉えることができないから、容易にシリンダー錠５を「もぎ取る」ことができない。
【００１３】
特に、防犯用外筒体９またはシリンダー錠保護筒７Ａの扉１の取り付け孔６に嵌入した内端部９ａ．７ａの根元部分の外周面１１ａが、内端面或いは後端部に至るにしたがって弧状に形成されている場合には、図５で示すように工具Ｔの挟み部ａは、防犯用外筒体９の内端面またはシリンダー錠保護筒７Ａを所望するように掴むことができないので、シリンダー錠５を「より一層もぎ取る」ことができないという利点がある。
【００１４】
この効果は、防犯用外筒体９のように内周壁１２に周溝１３を有し、固定筒７に対して回動自在な実施例の場合には、防犯用外筒体９の滑り易さ、捉えがたさ等と相まって、防犯用外筒体９自体が回転する故、工具Ｔでシリンダー錠５の外周壁１１．１１Ａを捉えることがより極めて一層困難となり、防犯効果は絶大である。
【００１５】
さらに、本発明の主要部をそのまま含み、防犯用外筒体９又はシリンダー錠保護筒７Ａの内端部の外周壁に単数又は複数個の突起部が設けられている実施例の場合には、プライヤーだけではなく、嵌合パイプを差し込んで操作する(例えば抉る)手口にも対応することができる。
【発明を実施するための最良の形態】
【００１６】
以下、図１乃至図５に示す本発明を実施するための最良の形態により説明する。まず、本発明の主要部について説明する。１は扉、１ａは扉の外壁面、２は扉１の切欠部に内装された錠箱、５は基端部５ａが錠箱２に取り付けられ、一方、他端部５ｂが扉１の外壁面１ａの取り付け孔６から突出するシリンダー錠、７はシリンダー錠５に外嵌合し、かつ、複数個のピン状止め具８．８を介して該シリンダー錠５に固定された固定筒、９は固定筒７と筒状化粧リング１０との間に介在する防犯用外筒体である。
【００１７】
しかして、前記防犯用外筒体９は、根元部分に相当する内端部９ａが前記取り付け孔６に扉１の肉厚に対応して嵌入し、該内端部９ａから先端部９ｂにかけて外周壁１１が傾斜面のすい台状に形成されている。
【００１８】
そして、本実施例では、防犯用外筒体９の扉の取り付け孔６に嵌入した内端部の根元部分の外周面１１ａは、内端面に至るにしたがって弧状に形成されている。これにより、工具Ｔの挟み部ａで防犯用外筒体９自体の外周壁１１を完全に挟むことができなくなる（図４参照）のみならず、扉１の取り付け孔６の縁部をこじ開け、防犯用外筒体９の根元大径部分を挟むのが極めて困難になる（図５参照）。
【００１９】
また、防犯用外筒体９の内周壁１２には、図２及び図３で示すように、前述した複数個のピン状止め具８．８が係合する周溝１３が形成されている。
【００２０】
したがって、前記防犯用外筒体９は、これらのピン状止め具８．８を介して固定筒７に回動自在に外嵌合していると共に、止め具８．８により固定筒７からの抜き取りも阻止（係止）されている。
【００２１】
次に要部について説明する。前述した筒状化粧リング１０は、中実でも良いが、本実施例では、図１で示すように、断面中空状に形成されている。１５は防犯用外筒体９の先端部９ｂの外周壁１１と化粧リング１０との間に内装され、かつ、化粧リング１０を扉１の外壁面１ａへと押圧する付勢バネである。１６はシリンダー錠の先端部カバーで、この先端部カバー１６と固定筒７とは、複数個の固定ピン１７．１７によって固定されている。
【００２２】
なお、シリンダー錠５の構造、錠箱２に対する取り付け構造は、従来と異なる点はない。したがって、詳細は割愛するが、例えば外筒の内側に、キー挿入孔を有する内筒を備える点、シリンダー錠５には、その外筒と内筒との間に亘って複数の障害子（ピンタンブラー）が配設されている点、合鍵を挿入すると、前記障害子のシアーラインが外筒と内筒との境界上に揃う点などは同様である。
【実施例】
【００２３】
まず、前記第１実施例の設計変更例を記載する。第１実施例の防犯用外筒体９は、根元部分に相当する内端部９ａの端面から先端部９ｂの端面にかけて外周壁１１が傾斜面（根元部分の弧状外壁面１１ａも含む）のすい台状に形成されているが、図６及び図７で示す防犯用外筒体９Ａのように、根元部分に相当する内端部９ａの端面から先端部９ｂの端面にかけて外周壁１１Ａがやや弧状の球台状に形成しても良い。極端な例で言うと、外周壁１１Ａを「ビャ樽形状」に形成しても良い。
【００２４】
要は工具Ｔとしてのプライヤーの挟み部ａで挟もうとしても、該挟み部ａが外周壁１１．１１Ａを掴みきれず、シリンダー錠５をもぎ取ることができなければ良い。
【００２５】
次に第１実施例の防犯用外筒体９は、ピン状止め具８．８と周溝１３を介して回動自在に固定筒７に外嵌合しているが、図８及び図９で示す防犯用外筒体９Ｂのように、内周壁１２にピン状止め具８．８がそれぞれ係止状態に係合する複数個（例えば２個）の係合穴１３Ａ．１３Ａであっても良い。
【００２６】
従って、防犯用外筒体９Ｂは、ピン状止め具８．８にその回転が阻止されるから、固定筒７に対して固定の外筒体９Ｂとなる。
【００２７】
次に、第１実施例の防犯用外筒体９は、固定筒７と外筒体９とをそれぞれ別体に形成し、両者を複数個の止め具８．８で係着しているが、コスト削減の観点から、防犯用外筒体９と固定筒７とを一つの部品にすることもできる。
【００２８】
すなわち、図１０及び図１１は、基端部５ａが錠箱２に取り付けられ、一方、他端部５ｂが扉１の外壁面１ａの取り付け孔６から突出するシリンダー錠５と、このシリンダー錠５に固定的に外嵌合するシリンダー錠保護筒７Ａ（第１実施例の防犯用外筒体９と固定筒７とが予め金属で一体成形された一つの防犯用外筒体）とから成るシリンダー錠の保護構造であり、前記シリンダー錠保護筒７Ａは、前記取り付け基端部５ａ寄りの内端部７ａが前記取り付け孔６に嵌入し、該内端部７ａから先端部７ｂにかけて外周壁１１が傾斜面のすい台状に形成されている。
【００２９】
このように構成すると、部品点数を少なくなると共に、前記第１実施例と同一の効果を得ることができる。
【００３０】
次に、図１２乃至図１７は、第１実施例の発明に他の目的を加味した第２実施例である。以下、第２実施例等の説明に当たっては、重複説明を回避するために第1実施例の符号を便宜上援用する。
【００３１】
第２実施例は、嵌合パイプＴ１を差し込んで操作する(例えば抉る)手口にも対応することができるように、防犯用外筒体９Ｃの内端部９ａの外周壁に単数の突起部２１を設けている。この突起部２１は、本実施例では、図１４で示すように内端部９ａのやや水平状の外周壁に断面段差状或いは鍔状に周設されている。もちろん、突起部２１は、必ずしも鍔状である必要はなく、周方向に所要間隔を有して設けられた複数個の突起であっても良い。この場合複数個の突起を、例えば左右突起型、プラス突起型、放射状突起型等に形成するのが望ましい。
【００３２】
上記構成に於いて、嵌合パイプＴ１の内径Ｉと防犯用外筒体９Ｃの鍔状突起部２１の外径寸法Ｏとを比較した場合、（１）図１６で示すように、嵌合パイプＴ１の内径Ｉが鍔状突起部２１の外径Ｏよりも小さい場合には、嵌合パイプＴ１の差込み部の端面２２が鍔状突起部２１に衝突し、しかも、防犯用外筒体９Ｃはすい台状に形成されていることから、嵌合パイプＴ１の差込み部の内周面と防犯用外筒体９Ｃの外周面との摺接面が少ないこともあって、容易に防犯用外筒体９Ｃを引き抜くことができない。
【００３３】
（２）一方、図１７で示すように、嵌合パイプＴ１の内径Ｉが鍔状突起部２１の外径Ｏと略同一か、或いはそれよりも大きい場合には、嵌合パイプＴ１の差込み部の端面２２が鍔状突起部２１に衝突しないまま鍔状突起部２１に摺接可能に外嵌合、或いは遊嵌合し、しかも、差込み部の内周面は防犯用外筒体９Ｃの外周面に摺接しないので、防犯用外筒体９Ｃを引き抜くことがより一層困難に成る。
【００３４】
それ故に、第２実施例は、プライヤーＴだけではなく、嵌合パイプＴ１を差し込んで操作する手口にも対応することができる。
【００３５】
次に、図１８及び図１９は、第１実施例の一変形例（図１０、図１１）の発明に、前記第２実施例の目的を加味した第３実施例である。したがって、第３実施例のシリンダー錠保護筒７Ｂの内端部の外周壁には、第２実施例と同様に単数の突起部２１が設けられている。なお、前記突起部２１については、重複する説明を回避するために、第２実施例の符号２１を援用する。
【００３６】
ところで、第１実施例の防犯用外筒体９は、内端部９ａから先端部９ｂにかけて外周壁が傾斜面のすい台状に形成されているが、本発明の目的との関係では、外周壁全体が完璧に傾斜面であることを要求するものではなく、例えば図２０で示す防犯用外筒体９Ｄのように、少なくとも内端部９ａ寄りの部位から先端部９ｂにかけてすい台状に形成しても良い。つまり、内端部９ａの外周面が多少水平状態であっても良い。
【００３７】
なお、化粧リング１０は付勢バネ１５のバネ力により扉１の外壁面１ａに付勢されているが、本発明の防犯用外筒体９．９Ａ．９Ｂの先端部にそれぞれフランジ部を周設し、このフランジ部と扉１の外壁面１ａとの間に回動自在に外嵌合させるなど設計変更が自由であるから、本発明の本質的部分（必須要件）ではない。
【産業上の利用可能性】
【００３８】
本発明は、建物の扉の錠前に利用される。
【図面の簡単な説明】
【００３９】
図１乃至図５は本発明の第１実施例を示す各説明図。図６乃至図１１は第１実施例の一部を設計変更した各説明図。図１２乃至図１７は本発明の第２実施例を示す各説明図。図１８及び図１９は、本発明の第３実施例を示す各説明図。図２０は、第１実施例の一部を設計変更した説明図。  
【図１】実施形態を示す概略断面説明図。
【図２】防犯用外筒体の第１実施例を示す斜視図。
【図３】図２の３−３線断面図。
【図４】工具で防犯用外筒体の外周壁を捉えようとした説明図。
【図５】図４に於いて、工具が滑り易い旨の説明図。
【図６】防犯用外筒体の変形例を示す斜視図。
【図７】図６の７-7線断面図。
【図８】防犯用外筒体の他の変形例を示す斜視図。
【図９】図８の９-９線断面図。
【図１０】防犯用外筒体を用いた実施形態を示す概略断面説明図を示す斜視図。
【図１１】防犯用外筒体の変形例を示す斜視図。
【図１２】本発明の第２実施例を示す概略断面説明図。
【図１３】本発明の第２実施例を示す斜視図。
【図１４】図１３の１４−１４線概略断面説明図。
【図１５】防犯用外筒体の内端部に工具を外嵌合した概略説明図。
【図１６】防犯用外筒体と工具との嵌合状態の一例を示す概略説明図。
【図１７】防犯用外筒体と工具との嵌合状態の他例を示す概略説明図。
【図１８】本発明の第３実施例を示す概略断面説明図。
【図１９】第３実施例の要部（シリンダー錠保護筒７Ｂ）の斜視図。
【図２０】第１実施例の一部を設計変更した説明図。
【符号の説明】
【００４０】
１…扉、１ａ…外壁面、２…錠箱、５…シリンダー錠、６…取り付け孔、７…固定筒、７Ａ、７Ｂ…シリンダー保護筒（防犯用外筒体）、８…止め具、９．９Ａ．９Ｂ、９Ｃ、９Ｄ…防犯用外筒体、７ａ．９ａ…内端部、７ｂ．９ｂ…先端部、１０…筒状化粧リング、１１．１１Ａ…外周壁、１１ａ…根元部分の外壁面、１２．１２…内周壁、１３…周溝、１５…付勢バネ、１６…先端部カバー、２１…突起、Ｔ、Ｔ１…工具、ａ…挟み部。
【図１】
2005009293.tif 000003
【図２】
2005009293.tif 000004
【図３】
2005009293.tif 000005
【図４】
2005009293.tif 000006
【図５】
2005009293.tif 000007
【図６】
2005009293.tif 000008
【図７】
2005009293.tif 000009
【図８】
2005009293.tif 000010
【図９】
2005009293.tif 000011
【図１０】
2005009293.tif 000012
【図１１】
2005009293.tif 000013
【図１２】
2005009293.tif 000014
【図１３】
2005009293.tif 000015
【図１４】
2005009293.tif 000016
【図１５】
2005009293.tif 000017
【図１６】
2005009293.tif 000018
【図１７】
2005009293.tif 000019
【図１８】
2005009293.tif 000020
【図１９】
2005009293.tif 000021
【図２０】
2005009293.tif 000022